(57)【要約】  本発明の実施形態は、端末間グラフィック共有方法、端末デバイス、および通信システムを開示する。この方法において、接続は、ローカルエリアネットワークを使用することによって送信端と受信端との間に確立され、当該方法は、送信端の画面に表示されるグラフィックの共有領域を送信端によって決定するステップと、送信端の画面に表示されるグラフィックの共有領域を除く領域である非共有領域内のグラフィックをマスクするために、非共有領域内のグラフィックを送信端によって処理するステップと、送信端と受信端とが共有領域内のグラフィックを共有するように、画面に表示される処理済みのグラフィックを送信端によってローカルエリアネットワークを使用することによって受信端へ送信するステップとを含む。本発明の実施形態によれば、ローカルエリアネットワーク内の2つの端末間でグラフィックの一部が共有され、それによって、セキュリティ要件およびユーザのパーソナライズされた要件を満足することが実施される。
2016511876.tif 000002
【特許請求の範囲】
【請求項１】
ローカルエリアネットワークを使用することによって送信端と受信端との間に接続が確立される端末間グラフィック共有方法であって、前記方法は、
前記送信端の画面に表示されるグラフィックの共有領域を前記送信端によって決定するステップと、
前記送信端の前記画面に表示される前記グラフィックの前記共有領域を除く領域である非共有領域内のグラフィックをマスクするために、前記非共有領域内の前記グラフィックを前記送信端によって処理するステップと、
前記送信端と前記受信端とが前記共有領域内のグラフィックを共有するように、前記画面に表示され、その後、処理されるグラフィックのデータを前記送信端によって前記ローカルエリアネットワークを使用することによって前記受信端へ送信するステップと、
を含むことを特徴とする端末間グラフィック共有方法。
【請求項２】
前記送信端の画面に表示されるグラフィックの共有領域を前記送信端によって決定する前記ステップの前に、前記方法は、
前記受信端によって送信される画面共有要求を前記送信端によって受信するステップ、
をさらに含み、
前記送信端の画面に表示されるグラフィックの共有領域を前記送信端によって決定する前記ステップは、前記受信端からの前記画面共有要求に応じて、前記送信端の前記画面に表示される前記グラフィックの前記共有領域を前記送信端によって決定するステップを含むことを特徴とする請求項1に記載の方法。
【請求項３】
非共有領域内のグラフィックをマスクするために、前記非共有領域内の前記グラフィックを前記送信端によって処理する前記ステップは、
前記非共有領域内の前記グラフィックをマスクするために、前記非共有領域内の前記グラフィックにモノクロカラライゼーション処理を前記送信端によって実行するステップ、
を含むことを特徴とする請求項1または2に記載の方法。
【請求項４】
ローカルエリアネットワークを使用することによって送信端と受信端との間に接続が確立される端末間グラフィック共有方法であって、前記方法は、
前記送信端によって前記ローカルエリアネットワークを使用することによって送信される、前記送信端の画面に表示されるグラフィックの共有領域を除く領域である非共有領域の位置情報およびグラフィックのデータを、前記受信端によって受信するステップと、
前記非共有領域内のグラフィックをマスクするために、前記非共有領域の前記位置情報に従って前記グラフィックの前記非共有領域内の前記グラフィックを前記受信端によって処理するステップと、
前記送信端と前記受信端とが前記共有領域内のグラフィックを共有するように、処理済みのグラフィックを前記受信端によって出力し、表示するステップと、
を含むことを特徴とする端末間グラフィック共有方法。
【請求項５】
前記送信端によって前記ローカルエリアネットワークを使用することによって送信される、非共有領域の位置情報およびグラフィックのデータを前記受信端によって受信する前記ステップの前に、前記方法は、
前記受信端によって画面共有要求を前記送信端へ送信するステップ、
をさらに含むことを特徴とする請求項4に記載の方法。
【請求項６】
前記非共有領域内のグラフィックをマスクするために、前記非共有領域の前記位置情報に従って前記グラフィックの前記非共有領域内の前記グラフィックを前記受信端によって処理する前記ステップは、
前記非共有領域内の前記グラフィックをマスクするために、前記非共有領域の前記位置情報に従って前記グラフィックの前記非共有領域内の前記グラフィックにモノクロカラライゼーション処理を前記受信端によって実行するステップ、
を含むことを特徴とする請求項4または5に記載の方法。
【請求項７】
ローカルエリアネットワークを使用することによって受信端に送信端として接続される端末デバイスであって、前記端末デバイスは、
前記端末デバイスの画面に表示されるグラフィックの共有領域を決定するように構成された領域決定ユニットと、
前記端末デバイスの前記画面に表示される前記グラフィックの前記共有領域を除く領域である非共有領域内のグラフィックをマスクするために、前記非共有領域内の前記グラフィックを処理するように構成されたグラフィック処理ユニットと、
前記端末デバイスと前記受信端とが前記共有領域内のグラフィックを共有するように、前記画面に表示され、その後、処理されるグラフィックのデータを、前記ローカルエリアネットワークを使用することによって前記受信端へ送信するように構成された情報送信ユニットと、
を備えることを特徴とする端末デバイス。
【請求項８】
前記領域決定ユニットが前記端末デバイスの前記画面に表示される前記グラフィックの前記共有領域を決定する前に、前記受信端によって送信される画面共有要求を受信するように構成された要求受信ユニット、
をさらに備え、
前記領域決定ユニットは、前記受信端からの前記画面共有要求に応じて、前記端末デバイスの前記画面に表示される前記グラフィックの前記共有領域を決定するように特に構成されることを特徴とする請求項7に記載の端末デバイス。
【請求項９】
前記グラフィック処理ユニットは、前記非共有領域内の前記グラフィックをマスクするために、前記非共有領域内の前記グラフィックにモノクロカラライゼーション処理を実行するように特に構成されることを特徴とする請求項7または8に記載の端末デバイス。
【請求項１０】
ローカルエリアネットワークを使用することによって送信端に受信端として接続される端末デバイスであって、前記端末デバイスは、
前記送信端によって前記ローカルエリアネットワークを使用することによって送信される、前記送信端の画面に表示されるグラフィックの共有領域を除く領域である非共有領域の位置情報およびグラフィックのデータを受信するように構成された情報受信ユニットと、
前記非共有領域内のグラフィックをマスクするために、前記非共有領域の前記位置情報に従って前記グラフィックの前記非共有領域内の前記グラフィックを処理するように構成されたグラフィック処理ユニットと、
前記送信端と前記端末デバイスとが前記共有領域内のグラフィックを共有するように、前記グラフィック処理ユニットによって処理されたグラフィックを出力し、表示するように構成されたグラフィック出力ユニットと、
を備えることを特徴とする端末デバイス。
【請求項１１】
画面共有要求を前記送信端へ送信するように構成された要求送信ユニット
をさらに備えることを特徴とする請求項10に記載の端末デバイス。
【請求項１２】
前記グラフィック処理ユニットは、前記非共有領域内の前記グラフィックをマスクするために、前記非共有領域の前記位置情報に従って前記グラフィックの前記非共有領域内の前記グラフィックにモノクロカラライゼーション処理を実行するように特に構成されることを特徴とする請求項10または11に記載の端末デバイス。
【請求項１３】
ローカルエリアネットワークを使用することによって送信端に受信端として接続される端末デバイスであって、前記端末デバイスは、
前記送信端によって前記ローカルエリアネットワークを使用することによって送信される、前記送信端の画面に表示されるグラフィックの共有領域を除く領域である非共有領域の位置情報およびグラフィックのデータを受信するように構成された受信器と、
前記非共有領域内のグラフィックをマスクするために、前記非共有領域の前記位置情報に従って前記グラフィックの前記非共有領域内の前記グラフィックを処理するように構成されたグラフィック処理エンジンと、
前記グラフィック処理エンジンによって処理されたグラフィックを出力するように構成されたディスプレイコントローラと、
前記送信端と前記端末デバイスとが前記共有領域内のグラフィックを共有するように、前記ディスプレイコントローラによって出力された前記グラフィックを表示するように構成されたディスプレイ画面コンポーネントと、
を備えることを特徴とする端末デバイス。
【請求項１４】
画面共有要求を前記送信端へ送信するように構成された送信器
をさらに備えることを特徴とする請求項13に記載の端末デバイス。
【請求項１５】
前記グラフィック処理エンジンは、前記非共有領域内の前記グラフィックをマスクするために、前記非共有領域の前記位置情報に従って前記グラフィックの前記非共有領域内の前記グラフィックにモノクロカラライゼーション処理を実行するように特に構成されることを特徴とする請求項13または14に記載の端末デバイス。
【請求項１６】
少なくとも1つの送信端と少なくとも1つの受信端とを含む通信システムであって、前記送信端は、ローカルエリアネットワークを使用することによって前記受信端に接続され、前記送信端は、請求項7から9のいずれか一項に記載の端末デバイスであり、または前記受信端は、請求項10から12のいずれか一項に記載の端末デバイスであり、または前記受信端は、請求項13から15のいずれか一項に記載の端末デバイスであることを特徴とする通信システム。
【発明の詳細な説明】
【技術分野】
【０００１】
本発明は、通信技術の分野に関し、特に、端末間グラフィック共有方法、端末デバイス、および通信システムに関する。
本出願は、その全体が参照により本明細書に組み込まれている、2013年12月31日に中国国家知識財産権局に出願され、「INTER-TERMINAL IMAGE SHARING METHOD, TERMINAL DEVICE, AND COMMUNICATIONS SYSTEM」と題された中国特許出願第201310754796.5の優先権を主張するものである。
【背景技術】
【０００２】
スマートモバイル端末の普及、ならびにスマートモバイル端末によって提供される機能およびアプリケーションの大幅な増加に伴って、今日では、ユーザは、もはやスタンドアロンの端末のアプリケーションには満足していない。ユーザは、異なる端末間および異なるユーザ間でのインタラクションおよび情報共有について、より高い要件を有する。そのため、デジタルリビングネットワークアライアンス(DLNA: Digital Living Network Alliance)などの対応するアライアンスが、業界内で確立されている。本技術は、携帯電話、テレビ受像機、手書き入力機、PAD(タブレット)などを含めて、家庭内のあらゆる電子デバイス間の相互接続および相互作用を可能にする。
【０００３】
従来技術において、スマート端末の画面に表示される完全なグラフィックは、ローカルエリアネットワーク環境においてスマート端末間で共有でき、当該グラフィックは、写真、映像などであってよい。しかしながら、この方法は、ユーザのパーソナライズされた要件を満足し、または情報セキュリティを確保することができない。
【発明の概要】
【課題を解決するための手段】
【０００４】
本発明の実施形態は、ユーザのパーソナライズされた要件を満足し、または情報セキュリティを確保するために、画面に表示されるグラフィックの一部を端末が共有することを実施することができる、端末間グラフィック共有方法、端末デバイス、および通信システムを提供する。
【０００５】
本発明の実施形態は、下記の技術的解決策を開示する:
【０００６】
第1の態様によれば、ローカルエリアネットワークを使用することによって送信端と受信端との間に接続が確立される端末間グラフィック共有方法が提供され、当該方法は、
送信端の画面に表示されるグラフィックの共有領域を送信端によって決定するステップと、
送信端の画面に表示されるグラフィックの共有領域を除く領域である非共有領域内のグラフィックをマスクするために、非共有領域内のグラフィックを送信端によって処理するステップと、
送信端と受信端とが共有領域内のグラフィックを共有するように、画面に表示され、その後、処理されるグラフィックのデータを送信端によってローカルエリアネットワークを使用することによって受信端へ送信するステップと、
を含む。
【０００７】
前述の第1の態様を参照すると、第1の可能な実施手法において、送信端の画面に表示されるグラフィックの共有領域を送信端によって決定するステップの前に、方法は、
受信端によって送信される画面共有要求を送信端によって受信するステップをさらに含み、送信端の画面に表示されるグラフィックの共有領域を送信端によって決定するステップは、受信端からの画面共有要求に応じて、送信端の画面に表示されるグラフィックの共有領域を送信端によって決定するステップを含む。
【０００８】
前述の第1の態様、または第1の態様の前述の第1の可能な実施手法を参照すると、第2の可能な実施手法において、非共有領域内のグラフィックを送信端によって処理するステップは、
非共有領域内のグラフィックをマスクするために、非共有領域内のグラフィックにモノクロカラライゼーション処理を送信端によって実行するステップを含む。
【０００９】
第2の態様によれば、ローカルエリアネットワークを使用することによって送信端と受信端との間に接続が確立される端末間グラフィック共有方法が提供され、当該方法は、
送信端によってローカルエリアネットワークを使用することによって送信される、送信端の画面に表示されるグラフィックの共有領域を除く領域である非共有領域の位置情報およびグラフィックのデータを、受信端によって受信するステップと、
非共有領域内のグラフィックをマスクするために、非共有領域の位置情報に従ってグラフィックの非共有領域内のグラフィックを受信端によって処理するステップと、
送信端と受信端とが共有領域内のグラフィックを共有するように、処理済みのグラフィックを受信端によって出力し、表示するステップと、
を含む。
【００１０】
前述の第2の態様を参照すると、第1の可能な実施手法において、送信端によってローカルエリアネットワークを使用することによって送信される、非共有領域の位置情報およびグラフィックのデータを受信端によって受信するステップの前に、方法は、
受信端によって画面共有要求を送信端へ送信するステップ、
をさらに含む。
【００１１】
前述の第2の態様、または第2の態様の前述の第1の可能な実施手法を参照すると、第2の可能な実施手法において、非共有領域の位置情報に従ってグラフィックの非共有領域内のグラフィックを受信端によって処理するステップは、
非共有領域内のグラフィックをマスクするために、非共有領域の位置情報に従ってグラフィックの非共有領域内のグラフィックにモノクロカラライゼーション処理を受信端によって実行するステップ、
を含む。
【００１２】
第3の態様によれば、ローカルエリアネットワークを使用することによって受信端に送信端として接続される端末デバイスが提供され、当該端末デバイスは、
端末デバイスの画面に表示されるグラフィックの共有領域を決定するように構成された領域決定ユニットと、
端末デバイスの画面に表示されるグラフィックの共有領域を除く領域である非共有領域内のグラフィックをマスクするために、非共有領域内のグラフィックを処理するように構成されたグラフィック処理ユニットと、
端末デバイスと受信端とが共有領域内のグラフィックを共有するように、画面に表示され、その後、処理されるグラフィックのデータを、ローカルエリアネットワークを使用することによって受信端へ送信するように構成された情報送信ユニットと、
を備える。
【００１３】
前述の第3の態様によれば、第1の可能な実施手法において、端末デバイスは、
領域決定ユニットが端末デバイスの画面に表示されるグラフィックの共有領域を決定する前に、受信端によって送信される画面共有要求を受信するように構成された要求受信ユニットをさらに備え、領域決定ユニットは、受信端からの画面共有要求に応じて、端末デバイスの画面に表示されるグラフィックの共有領域を決定するように特に構成される。
【００１４】
前述の第3の態様、または第3の態様の前述の第1の可能な実施手法を参照すると、第2の可能な実施手法において、
グラフィック処理ユニットは、非共有領域内のグラフィックをマスクするために、非共有領域内のグラフィックにモノクロカラライゼーション処理を実行するように特に構成される。
【００１５】
第4の態様によれば、ローカルエリアネットワークを使用することによって送信端に受信端として接続される端末デバイスが提供され、当該端末デバイスは、
送信端によってローカルエリアネットワークを使用することによって送信される、送信端の画面に表示されるグラフィックの共有領域を除く領域である非共有領域の位置情報およびグラフィックのデータを受信するように構成された情報受信ユニットと、
非共有領域内のグラフィックをマスクするために、非共有領域の位置情報に従ってグラフィックの非共有領域内のグラフィックを処理するように構成されたグラフィック処理ユニットと、
送信端と端末デバイスとが共有領域内のグラフィックを共有するように、グラフィック処理ユニットによって処理されたグラフィックを出力し、表示するように構成されたグラフィック出力ユニットと、
を備える。
【００１６】
前述の第4の態様によれば、第1の可能な実施手法において、端末デバイスは、
画面共有要求を送信端へ送信するように構成された要求送信ユニット
をさらに備える。
【００１７】
前述の第4の態様、または第4の態様の前述の第1の可能な実施手法を参照すると、第2の可能な実施手法において、グラフィック処理ユニットは、非共有領域内のグラフィックをマスクするために、非共有領域の位置情報に従ってグラフィックの非共有領域内のグラフィックにモノクロカラライゼーション処理を実行するように特に構成される。
【００１８】
第5の態様によれば、ローカルエリアネットワークを使用することによって送信端に受信端として接続される端末デバイスが提供され、当該端末デバイスは、
送信端によってローカルエリアネットワークを使用することによって送信される、送信端の画面に表示されるグラフィックの共有領域を除く領域である非共有領域の位置情報およびグラフィックのデータを受信するように構成された受信器と、
非共有領域内のグラフィックをマスクするために、非共有領域の位置情報に従ってグラフィックの非共有領域内のグラフィックを処理するように構成されたグラフィック処理エンジンと、
グラフィック処理エンジンによって処理されたグラフィックを出力するように構成されたディスプレイコントローラと、
送信端と端末デバイスとが共有領域内のグラフィックを共有するように、ディスプレイコントローラによって出力されたグラフィックを表示するように構成されたディスプレイ画面コンポーネントと、
を備える。
【００１９】
前述の第5の態様によれば、第1の可能な実施手法において、端末デバイスは、
画面共有要求を送信端へ送信するように構成された送信器
をさらに備える。
【００２０】
前述の第5の態様、または第5の態様の前述の第1の可能な実施手法を参照すると、第2の可能な実施手法において、グラフィック処理エンジンは、非共有領域内のグラフィックをマスクするために、非共有領域の位置情報に従ってグラフィックの非共有領域内のグラフィックにモノクロカラライゼーション処理を実行するように特に構成される。
【００２１】
第6の態様によれば、少なくとも1つの送信端と少なくとも1つの受信端とを含む通信システムが提供され、送信端は、ローカルエリアネットワークを使用することによって受信端に接続され、送信端は、第3の態様または第3の態様の第1の実施手法もしくは第3の態様の第2の実施手法のいずれかによる端末デバイスであり、または受信端は、第4の態様または第4の態様の第1の実施手法もしくは第4の態様の第2の実施手法のいずれかによる端末デバイスであり、または受信端は、第5の態様または第5の態様の第1の実施手法もしくは第5の態様の第2の実施手法のいずれかによる端末デバイスである。
【００２２】
本発明の実施形態によれば、グラフィックは、共有領域と非共有領域とに分割され、非共有領域内のグラフィックは、非共有領域内のグラフィックをマスクするために処理され、それによって、ローカルエリアネットワーク内の2つの端末間でグラフィックの一部を共有すること、ならびにセキュリティ要件およびユーザのパーソナライズされた要件を満足することが実施される。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００２３】
本発明の実施形態における技術的解決策または従来技術における技術的解決策をより明確に説明するために、下記には、実施形態または従来技術を説明するために必要な添付の図面を簡単に紹介する。明らかに、当業者は、創造的な努力なしに、これらの添付図面から他の図面を依然として導き出し得る。
【図面の簡単な説明】
【００２４】
【図１】本発明の実施形態による端末間グラフィック共有方法の適用シナリオの概略図である。
【図２ａ】本発明の実施形態による端末間グラフィック共有方法のフローチャートである。
【図２ｂ】本発明の実施形態による、端末間のグラフィック共有の概略図である。
【図２ｃ】本発明の実施形態による端末間グラフィック共有方法のフローチャートである。
【図３ａ】本発明の実施形態による別の端末間グラフィック共有方法のフローチャートである。
【図３ｂ】本発明の実施形態による別の端末間グラフィック共有方法のフローチャートである。
【図４ａ】本発明の実施形態による端末デバイスの概略構造図である。
【図４ｂ】本発明の実施形態による別の端末デバイスの概略構造図である。
【図５】本発明の実施形態による端末デバイスの概略構造図である。
【図６ａ】本発明の実施形態による端末デバイスの概略構造図である。
【図６ｂ】本発明の実施形態による別の端末デバイスの概略構造図である。
【図７】本発明の実施形態による、また別の端末デバイスの概略構造図である。
【図８】本発明の実施形態による端末デバイスの概略構造図である。
【発明を実施するための形態】
【００２５】
下記は、本発明の実施形態において、添付の図面を参照しつつ、本発明の実施形態における技術的解決策を明確かつ完全に説明する。明らかに、説明される実施形態は、本発明の実施形態の全部というよりも、むしろ一部にすぎない。創造的な努力なしに本発明の実施形態に基づいて当業者によって得られる他の全ての実施形態は、本発明の保護範囲内に含まれる。
【００２６】
図1に示されるように、図1は、本発明の実施形態に従って通信システム内の端末間でグラフィック共有が実行される適用シナリオの概略図であり、当該通信システムは、送信端と受信端とを含む。接続は、ローカルエリアネットワークを使用することによって送信端と受信端との間に確立され、例えば、接続は、Wi-Fi(ワイヤレスフィデリティ)を使用することによって確立される。接続が確立された後、画面共有モードに入るように、画面共有アプリケーションは、送信端および受信端において別個に開始される。このモードにおいて、送信端の画面上で実行される全ての操作は、共有領域を選択する動作とみなされ、その後、グラフィックなどの情報の共有が、送信端と受信端との間で実行され得る。送信端と受信端とは、それぞれ、携帯電話、手書き入力機、およびPADなどの端末のうちのいずれか1つあってもよい。送信側と受信側とは、同じタイプの端末であってもよく、または異なる種類の端末であってもよい。例えば、送信端は携帯電話であり、受信端はテレビ受像機である。前述のグラフィックは、1枚の写真、または映像内の複数の連続するグラフィックなどであってもよい。2つの端末間で接続を確立する前述の処理は、グラフィックなどの情報の共有が実行されるたびに、必ずしも繰り返し実行されるわけではない。
【００２７】
図2aに示されるように、送信端と受信端との間でグラフィックを共有するための方法は、下記のステップを含み得る:
【００２８】
ステップ101:送信端は、当該送信端の画面に表示されるグラフィックの共有領域を決定する。
【００２９】
送信端が当該送信端の画面に表示されるグラフィックの共有領域を決定する前に、ローカルエリアネットワークを使用することによって送信端と受信端との間で接続が確立される必要があることに留意すべきである。
【００３０】
受信端が画面上のグラフィックの一部を送信端と共有する場合、送信端は、図2bに示されるグラフィックの共有領域11などの、送信端の画面に表示されるグラフィックの、グラフィック共有が実行される必要がある共有領域をまず決定する。共有領域内のグラフィックは、共有される必要があるグラフィックである。
【００３１】
共有領域は、特に、送信端の画面上でユーザによって選択される共有領域であり得る。共有領域は、送信端におけるユーザによって予め設定されてもよく、例えば、共有領域は、画面の中心における固定されたサイズの領域に予め設定されてもよく、または、共有領域は、グラフィックの一部の共有が実行される際にユーザによって一時的に画定される領域であってもよい。共有領域は、任意の形状であってよく、必ずしも矩形ではない。
【００３２】
共有領域を決定する際、送信端は、ユーザによって予め設定される共有領域の座標を読み取り、または共有領域の座標を得るために、画面上でユーザによって画定された共有領域を取得し得る。画面上でユーザによって画定された共有領域が取得される場合、画面上でユーザのフリックによって生成された軌跡がまず取得されてもよく、当該軌跡が閉ループ状の軌跡であるのか準閉ループ状の軌跡であるのかが識別され、軌跡が閉ループ状の軌跡または準閉ループ状の軌跡である場合、閉ループ状の軌跡または準閉ループ状の軌跡によって囲まれた領域が、共有領域として使用される。
【００３３】
ステップ102:送信端は、非共有領域内のグラフィックをマスクするために、非共有領域内のグラフィックを処理する。
【００３４】
送信端が共有領域を決定した後、グラフィックの共有領域を除く領域は、非共有領域となる。続いて、送信端は、非共有領域内のグラフィックをマスクするために、非共有領域内のグラフィックを処理する必要がある。画面に表示される元のグラフィックと比較すると、画面に表示される処理済みのグラフィックは非共有領域内のグラフィックをマスクしていることが理解されるべきである。
【００３５】
特に、モノクロカラライゼーション処理が非共有領域内のグラフィックに対して実行され得る。例えば、非共有領域内のグラフィックの全ての画素は、白色化または黒色化される。例えば、図2bに示されるように、共有領域11を除く非共有領域内のグラフィックは、グラフィックの非共有領域内の「A、B、C、K、L、およびM」をマスクするために、全て白色化される。
【００３６】
グラフィック処理工程は、メモリ内でのみ実行され、送信端の画面には表示されない。もちろん、非共有領域内のグラフィックをマスクできる限り、他の処理が非共有領域内のグラフィックに対して実行されてもよい。
【００３７】
ステップ103:送信端は、送信端と受信端とが共有領域内のグラフィックを共有するように、画面に表示され、その後、処理されるグラフィックのデータを、ローカルエリアネットワークを使用することによって受信端へ送信する。
【００３８】
送信端は、処理済みのグラフィックを、ローカルエリアネットワークを使用することによって受信端へ送信し、当該グラフィックは、処理された完全なグラフィックであり、送信端の画面に表示され、共有領域内のグラフィックと非共有領域内の処理済みのグラフィックとの両方を含む。
【００３９】
受信端は、受信されたグラフィックに従って、出力および表示を実行する。図2bに示されるように、非共有領域内のグラフィックは白色化され、グラフィック全体の背景色と一致するため、共有領域内のグラフィックのみ、すなわち、「D E F H I J」を、受信端において表示されるグラフィック上でユーザは見ることができる。
【００４０】
処理済みのグラフィックを送信する際、送信端は、処理済みのグラフィックのデータに圧縮符号化を実行し得、また、処理済みのグラフィックを送信する前に、解像度処理も実行し得る。
【００４１】
本発明の実施形態によれば、グラフィックは、共有領域と非共有領域とに分割され、非共有領域内のグラフィックは、非共有領域内のグラフィックをマスクするために処理され、それによって、ローカルエリアネットワーク内の2つの端末間でグラフィックの一部を共有すること、ならびにセキュリティ要件およびユーザのパーソナライズされた要件を満足することが実施される。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００４２】
本発明の別の実施形態において、送信端と受信端との間でグラフィックを共有するための方法は、図2cにも示され得る。前述の実施形態と本実施形態との違いは、送信端が受信端によって送信される画面共有要求を受信するステップ111が追加され、当該要求を受信した後、受信端からの画面共有要求に応じて、送信端が送信端の画面に表示されるグラフィックの共有領域を決定するステップ112を送信端が実行することにある。
【００４３】
ステップ112は、前述のステップ101と同様であり、ステップ113は、前述のステップ102と同様であり、ステップ114は、前述のステップ103と同様であり、詳細は、ここでは再度説明されない。
【００４４】
本発明の別の実施形態において、1つまたは複数のグラフィックは、送信端と受信端との間で共有され得る。送信端が複数の写真(例えば、映像内の複数のグラフィック)の部分的なグラフィック共有を実行する必要がある場合、前述のステップは、各グラフィックに対して実行されて、各グラフィックの部分的なグラフィック共有が実施され得る。全てのグラフィックの共有領域は、同じであっても、または異なっていてもよい。
【００４５】
複数の写真の共有領域が同じである場合、送信端は、前述のステップ102からステップ103を実行する際に、複数の写真にバッチ処理を実行し得る。例えば、ステップ102を実行する際、共有領域を決定した後、送信端は、各グラフィックの非共有領域内のグラフィックを順に処理し得る。ステップ103を実行する際、送信端は、全ての処理済みのグラフィックを一度に受信端へ送信する。前述のステップは、本明細書においては限定されない別の変形例を有し得る。
【００４６】
図3aを参照すると、図3aは、本発明の実施形態による別の端末間グラフィック共有方法のフローチャートである。
【００４７】
まず、ローカルエリアネットワークを使用することによって送信端と受信端との間に接続が確立される。方法は、下記のステップを含み得る:
【００４８】
ステップ201:受信端は、送信端によってローカルエリアネットワークを使用することによって送信される、送信端の画面に表示されるグラフィックの共有領域を除く領域である非共有領域の位置情報およびグラフィックのデータを受信する。
【００４９】
送信端は、共有領域をまず決定する。共有領域を決定するための方法は、前述のステップ101と同様である。共有領域が決定された後、送信端は、現在の画面に表示される完全なグラフィックおよび非共有領域の位置情報を受信端へ直接送信する。非共有領域の位置情報は、グラフィックの非共有領域の座標の位置であり得る。
【００５０】
前述の情報を受信した後、受信端は、ステップ202を実行する。
【００５１】
ステップ202:受信端は、非共有領域内のグラフィックをマスクするために、非共有領域の位置情報に従ってグラフィックの非共有領域内のグラフィックを処理する。
【００５２】
受信端は、非共有領域の位置情報に従って、受信されたグラフィック内の共有領域および非共有領域をまず決定する。その後、受信端は、非共有領域内のグラフィックをマスクするために、非共有領域内のグラフィックにグラフィック処理を実行する。
【００５３】
特に、モノクロカラライゼーション処理が、非共有領域内のグラフィックに対して実行され得る。例えば、非共有領域内のグラフィック内の全ての画素は、白色化または黒色化される。この処理は、前述のステップ102におけるグラフィック処理工程と同様であり、詳細は、ここでは再度説明されない。
【００５４】
前述のステップにおいて受信端によって受信されたグラフィックは、画面に表示されず、前述のグラフィック処理工程は、メモリ内でのみ実行される。もちろん、非共有領域内のグラフィックをマスクできる限り、他の処理が非共有領域内のグラフィックに対して実行されてもよい。
【００５５】
ステップ203:受信端は、送信端と受信端とが共有領域内のグラフィックを共有するように、処理済みのグラフィックを出力し、表示する。
【００５６】
グラフィックを処理した後、受信端は、処理済みのグラフィックを出力する。出力グラフィックにおいて、非共有領域内のグラフィックはマスクされるため、ユーザは、元のグラフィックの非共有領域内のグラフィックを見ることはできないが、共有領域内のグラフィックを見ることはできる。
【００５７】
本実施形態によれば、グラフィックは、共有領域と非共有領域とに分割され、非共有領域内のグラフィックは、非共有領域内のグラフィックをマスクするために処理され、それによって、ローカルエリアネットワーク内の2つの端子間でグラフィックの一部を共有すること、ならびにセキュリティ要件およびユーザのパーソナライズされた要件を満足することが実施される。また、ローカルエリアネットワーク環境において、画面は、端末間でリアルタイムで迅速に共有でき、端末間のグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００５８】
本発明の別の実施形態において、送信端と受信端との間でグラフィックを共有するための方法は、図3bにも示され得る。前述の実施形態と本実施形態との違いは、受信端が画面共有要求を送信端へ送信するステップ211が追加され、当該要求を受信した後、送信端は、共有に関連する情報を送信し、その後、受信端がステップ212を実行することにある。
【００５９】
ステップ212は、前述のステップ201と同様であり、ステップ213は、前述のステップ202と同様であり、ステップ214は、前述のステップ203と同様であり、詳細は、ここでは再度説明されない。
【００６０】
本発明の別の実施形態において、1つまたは複数のグラフィックは、送信端と受信端との間で共有され得る。送信端が複数の写真(例えば、映像内の複数のグラフィック)の部分的なグラフィック共有を実行する必要がある場合、受信端は、前述のステップを各グラフィックに実行して、各グラフィックの部分的なグラフィック共有を実施し得る。全てのグラフィックの共有領域は、同じであっても、または異なっていてもよい。
【００６１】
複数の写真の共有領域が同じである場合、受信端は、前述のステップ202を実行する際に、複数の写真にバッチ処理を実行し得る。前述のステップは、本明細書において限定されない、別の変形例を有し得る。
【００６２】
前記は、本発明の方法の実施形態の説明であり、下記は、前述の方法を実施するための装置を説明する。
【００６３】
図4aを参照すると、図4aは、本発明の実施形態による端末デバイスの概略構造図である。
【００６４】
端末デバイスは、ローカルエリアネットワークを使用することによって受信端に送信端として接続され、端末デバイスは、
端末デバイスの画面に表示されるグラフィックの共有領域を決定するように構成された領域決定ユニット301と、
端末デバイスの画面に表示されるグラフィックの共有領域を除く領域である非共有領域内のグラフィックをマスクするために、非共有領域内のグラフィックを処理するように構成されたグラフィック処理ユニット302と、
端末デバイスと受信端とが共有領域内のグラフィックを共有するように、画面に表示され、その後、処理されるグラフィックのデータを、ローカルエリアネットワークを使用することによって受信端へ送信するように構成された情報送信ユニット303と、
を含み得る。
【００６５】
領域決定ユニット301は、端末デバイスの画面に表示されるグラフィックの共有領域を決定し、当該共有領域は、端末デバイス上でユーザによって予め設定され得る。例えば、共有領域は、画面の中心の領域に予め設定され、または、共有領域は、部分的な画面共有が実行される場合に、ユーザによって一時的に画定される領域であってもよい。グラフィック処理ユニット302は、非共有領域内のグラフィックをマスクするために、非共有領域内のグラフィックを処理し、その後、処理済みのグラフィックを情報送信ユニット303へ送信し、情報送信ユニット303は、処理済みのグラフィックを受信端へ送信する。
【００６６】
本発明の本実施形態によれば、グラフィックは、前述のユニットを使用することによって共有領域と非共有領域とに分割され、非共有領域内のグラフィックは、非共有領域内のグラフィックをマスクするために処理され、それによって、ローカルエリアネットワーク内の2つの端子間でグラフィックの一部を共有すること、ならびにセキュリティ要件およびユーザのパーソナライズされた要件を満足することが実施される。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００６７】
本発明の別の実施形態において、図4bに示されるように、端末デバイスは、
領域決定ユニット301が端末デバイスの画面に表示されるグラフィックの共有領域を決定する前に、受信端によって送信される画面共有要求を受信するように構成された要求受信ユニット401
をさらに含み得る。
【００６８】
別の実施形態において、グラフィック処理ユニット302は、非共有領域内のグラフィックをマスクするために、非共有領域内のグラフィックにモノクロカラライゼーション処理を実行するように特に構成される。
【００６９】
図5に示されるように、本発明の実施形態は、端末デバイス500をさらに提供し、当該端末デバイス500は、CPUなどの少なくとも1つのプロセッサ501と、物理ネットワークアダプタなどの少なくとも1つのネットワークインタフェース504または別のユーザインタフェース503と、メモリ505と、少なくとも1つの通信バス502とを含み得る。
【００７０】
通信バス502は、これらのコンポーネント間の接続および通信を実施するように構成される。
【００７１】
ネットワークインタフェース504は、端末デバイスとネットワークとの間の接続および通信を実施するように構成される。例えば、ネットワークインタフェース504は、物理ネットワークアダプタおよび/または物理スイッチなどのデバイスを接続するように構成され得る。
【００７２】
ユーザインタフェース503は、ディスプレイを含み、随意的に、キーボードもしくはマウスなどの別のクリックデバイス、トラックボール、タッチパッド、またはタッチディスプレイ画面をさらに含んでもよい。
【００７３】
メモリ505は、高速ランダムアクセスメモリ(RAM: Random Access Memory)を含み得、または少なくとも1つのディスクメモリなどの不揮発性メモリをさらに含み得る。随意的に、メモリ505は、前述のプロセッサ501から遠く離れて位置する少なくとも1つの記憶装置をさらに含んでもよい。
【００７４】
いくつかの実施手法において、メモリ505は、下記の要素、実行可能なモジュール、またはデータ構造、またはそれらのサブセット、またはそれらの拡張されたセットを記憶する:
様々なシステムプログラムを含んでおり、様々な基本的なサービスを実施し、ハードウェアベースのタスクを取り扱うように構成されたオペレーティングシステム5051;および
様々なアプリケーションを含んでおり、様々なアプリケーションサービスを実施するように構成されたアプリケーションモジュール5052。
【００７５】
特に、プロセッサ501は、端末デバイス500の画面に表示されるグラフィックの共有領域を決定し、端末デバイスの画面に表示されるグラフィックの共有領域を除く領域である非共有領域内のグラフィックをマスクするために、非共有領域内の当該グラフィックを処理し、端末デバイスと受信端とが共有領域内のグラフィックを共有するように、画面に表示され、その後、処理されるグラフィックのデータを、ローカルエリアネットワークを使用することによって受信端へ送信するように構成される。
【００７６】
本発明の実施形態において提供される端末デバイスによれば、グラフィックは、共有領域と非共有領域とに分割され、非共有領域内のグラフィックは、非共有領域内のグラフィックをマスクするために処理され、それによって、ローカルエリアネットワーク内の2つの端末間でグラフィックの一部を共有すること、ならびにセキュリティ要件およびユーザのパーソナライズされた要件を満足することが実施されることが学習され得る。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００７７】
図6aを参照すると、図6aは、本発明の実施形態による端末デバイスの概略構造図である。
【００７８】
端末デバイスは、ローカルエリアネットワークを使用することによって送信端に受信端として接続され、端末デバイスは、
ローカルエリアネットワークを使用することによって送信端によって送信される、送信端の画面に表示されるグラフィックの共有領域を除く領域である非共有領域の位置情報およびグラフィックのデータを受信するように構成された情報受信ユニット601と、
非共有領域内のグラフィックをマスクするために、非共有領域の位置情報に従ってグラフィックの非共有領域内のグラフィックを処理するように構成されたグラフィック処理ユニット602と、
送信端と端末デバイスとが共有領域内のグラフィックを共有するように、グラフィック処理ユニットによって処理されたグラフィックを出力し、表示するように構成されたグラフィック出力ユニット603と、
を含み得る。
【００７９】
本発明の実施形態によれば、グラフィックは、前述のユニットを使用することによって共有領域と非共有領域とに分割され、非共有領域内のグラフィックは、非共有領域内のグラフィックをマスクするために処理され、それによって、ローカルエリアネットワーク内の2つの端末間でグラフィックの一部を共有すること、ならびにセキュリティ要件およびユーザのパーソナライズされた要件を満足することが実施される。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００８０】
本発明の別の実施形態において、図6bに示されるように、受信端は、
画面共有要求を送信端へ送信するように構成された要求送信ユニット604
をさらに含む。
【００８１】
本発明の別の実施形態において、グラフィック処理ユニット602は、非共有領域内のグラフィックをマスクするために、非共有領域の位置情報に従ってグラフィックの非共有領域内のグラフィックにモノクロカラライゼーション処理を実施するように特に構成される。
【００８２】
本発明の実施形態は、端末デバイスをさらに提供する。図7に示されるように、端末デバイスは、ローカルエリアネットワークを使用することによって送信端に受信端として接続され、端末デバイスは、
ローカルエリアネットワークを使用することによって送信端によって送信される、送信端の画面に表示されるグラフィックの共有領域を除く領域である非共有領域の位置情報およびグラフィックのデータを受信するように構成された受信器701と、
非共有領域内のグラフィックをマスクするために、非共有領域の位置情報に従ってグラフィックの非共有領域内のグラフィックを処理するように構成されたグラフィック処理エンジン702と、
グラフィック処理エンジン702によって処理されたグラフィックを出力するように構成されたディスプレイコントローラ703と、
送信端と端末デバイスとが共有領域内のグラフィックを共有するように、ディスプレイコントローラによって出力されたグラフィックを表示するように構成されたディスプレイ画面コンポーネント704と、
を含む。
【００８３】
本発明の別の実施形態において、端末デバイスは、画面共有要求を送信端へ送信するように構成された送信器をさらに含んでもよい。本発明の別の実施形態において、グラフィック処理エンジン702は、非共有領域の位置情報に従って、グラフィックの非共有領域内のグラフィックにモノクロカラライゼーション処理を実行するように特に構成される。
【００８４】
図8に示されるように、本発明の実施形態は、端末デバイス800をさらに提供し、当該端末デバイス800は、CPUなどの少なくとも1つのプロセッサ801と、物理ネットワークアダプタなどの少なくとも1つのネットワークインタフェース804または別のユーザインタフェース803と、メモリ805と、少なくとも1つの通信バス802とを含み得る。
【００８５】
通信バス802は、これらのコンポーネント間の接続および通信を実施するように構成される。
【００８６】
ネットワークインタフェース804は、端末デバイスとネットワークとの間の接続および通信を実施するように構成される。例えば、ネットワークインタフェース804は、物理ネットワークアダプタおよび/または物理スイッチなどのデバイスを接続するように構成され得る。
【００８７】
ユーザインタフェース803は、ディスプレイを含み、随意的に、キーボードもしくはマウスなどの別のクリックデバイス、トラックボール、タッチパッド、またはタッチディスプレイ画面をさらに含んでもよい。
【００８８】
メモリ805は、高速ランダムアクセスメモリ(RAM: Random Access Memory)を含み得、または少なくとも1つのディスクメモリなどの不揮発性メモリをさらに含み得る。随意的に、メモリ805は、前述のプロセッサ801から遠く離れて位置する少なくとも1つの記憶装置をさらに含んでもよい。
【００８９】
いくつかの実施手法において、メモリ805は、下記の要素、実行可能なモジュール、またはデータ構造、またはそれらのサブセット、またはそれらの拡張されたセットを記憶する:
様々なシステムプログラムを含んでおり、様々な基本的なサービスを実施し、ハードウェアベースのタスクを取り扱うように構成されたオペレーティングシステム8051;および
様々なアプリケーションを含んでおり、様々なアプリケーションサービスを実施するように構成されたアプリケーションモジュール8052。
【００９０】
特に、プロセッサ801は、送信端によってローカルエリアネットワークを使用することによって送信される、送信端の画面に表示されるグラフィックの共有領域を除く領域である非共有領域の位置情報およびグラフィックのデータを受信し、非共有領域内のグラフィックをマスクするために、非共有領域の位置情報に従ってグラフィックの非共有領域内のグラフィックを処理し、送信端と端末デバイスとが共有領域内のグラフィックを共有するように、処理済みのグラフィックを出力し、表示するように構成される。
【００９１】
本発明の実施形態において提供される端末デバイスでは、グラフィックは、共有領域と非共有領域とに分割され、非共有領域内のグラフィックは、非共有領域内のグラフィックをマスクするために処理され、それによって、ローカルエリアネットワーク内の2つの端末間でグラフィックの一部を共有すること、ならびにセキュリティ要件およびユーザのパーソナライズされた要件を満足することが実施されることが学習され得る。また、ローカルエリアネットワーク環境において、画面は、端末間でリアルタイムで迅速に共有でき、端末間でのグラフィック送信は、事業者ネットワークを使用せずに、かつ中央サーバのサポートを必要とせずに実行され、それによって、大量のトラフィック、送信遅延、およびリアルタイムでの動的共有のためのサポートの不在などの、事業者ネットワークを通じた送信期間中に存在する問題が回避される。
【００９２】
本発明の実施形態は、通信システムをさらに提供する。通信システムは、少なくとも1つの送信端と少なくとも1つの受信端とを含み得、送信端は、ローカルエリアネットワークを使用することによって受信端に接続される。
【００９３】
送信端は、送信端の画面に表示されるグラフィックの共有領域を決定し、送信端の画面に表示されるグラフィックの共有領域を除く領域である非共有領域内のグラフィックをマスクするために非共有領域内のグラフィックを処理し、送信端と受信端とが共有領域内のグラフィックを共有するように、画面に表示され、その後、処理されるグラフィックのデータを、ローカルエリアネットワークを使用することによって受信端へ送信するように構成される。
【００９４】
別の実施形態において、送信端は、送信端が送信端の画面に表示されるグラフィックの共有領域を決定する前に、受信端によって送信される画面共有要求を受信するようにさらに構成される。
【００９５】
送信端は、非共有領域内のグラフィックをマスクするために、非共有領域内のグラフィックにモノクロカラライゼーション処理を実行するように特に構成される。
【００９６】
本発明の実施形態は、通信システムをさらに提供する。通信システムは、少なくとも1つの送信端と少なくとも1つの受信端とを含み得、送信端は、ローカルエリアネットワークを使用することによって受信端に接続される。
【００９７】
受信端は、送信端によってローカルエリアネットワークを使用することによって送信される、送信端の画面に表示されるグラフィックの共有領域を除く領域である非共有領域内の位置情報およびグラフィックのデータを受信し、非共有領域内のグラフィックをマスクするために、非共有領域の位置情報に従ってグラフィックの非共有領域内のグラフィックを処理し、送信端と受信端とが共有領域内のグラフィックを共有するように、処理済みのグラフィックを出力し、表示するように構成される。
【００９８】
別の実施形態において、受信端は、送信端によってローカルエリアネットワークを使用することによって送信される、非共有領域の位置情報およびグラフィックのデータを受信端が受信する前に、画面共有要求を送信端へ送信するようにさらに構成される。
【００９９】
受信端は、非共有領域内のグラフィックをマスクするために、非共有領域の位置情報に従ってグラフィックの非共有領域内のグラフィックにモノクロカラライゼーション処理を実行するように特に構成される。
【０１００】
当業者は、この明細書に開示される実施形態において説明される実施例との組み合わせにおいて、ユニットおよびアルゴリズムステップが電子的ハードウェアまたはコンピュータソフトウェアと電子的ハードウェアとの組み合わせによって実施され得ることを認識し得る。機能がハードウェアによって実行されるか、またはソフトウェアによって実行されるかは、特定の適用および技術的解決策の設計上の制約条件に依存する。当業者は、説明される機能を各特定の適用について実施するために、異なる方法を使用し得るが、当該実施は、本発明の範囲を超えるとみなされるべきではない。
【０１０１】
簡便で簡潔な説明の目的のため、前述のシステム、装置、およびユニットの詳細な作動工程については、前述の方法の実施形態における対応する工程への参照がなされ得、詳細は、ここでは再度説明されないことが、当業者によって明瞭に理解され得る。
【０１０２】
本出願において提供されるいくつかの実施形態では、開示されるシステム、装置、および方法が、他の手法において実施されてもよいことが理解されるべきである。例えば、説明される装置の実施形態は、例示にすぎない。例えば、ユニットの分割は、論理的機能の分割にすぎず、実際の実施においては他の分割であってもよい。例えば、複数のユニットまたはコンポーネントは、組み合わされ、もしくは別のシステムに一体化されてもよく、またはいくつかの機構は、無視され、もしくは実行されなくてもよい。また、表示され、または議論される、相互結合もしくは直接結合または通信接続は、何等かのインタフェースを通じて実施されてもよい。装置間またはユニット間の直接結合または通信接続は、電子的な形態、機械的な形態、または他の形態において実施されてもよい。
【０１０３】
別個の部分として説明されるユニットは、物理的に別個であってもなくてもよく、ユニットとして表示される部分は、物理的なユニットであってもなくてもよく、1か所に位置しても、または複数のネットワークユニット上に分散されてもよい。ユニットの一部または全部は、実施形態の解決策の目的を達成するために、実際のニーズに従って選択され得る。
【０１０４】
また、本発明の実施形態における機能的なユニットは、1つの処理ユニットに一体化されてもよく、または、ユニットの各々は、物理的に単独で存在してもよく、または2つ以上のユニットが1つのユニットに統合される。
【０１０５】
機能がソフトウェアの機能的なユニットの形態で実施され、独立した製品として販売され、または使用される場合、当該機能は、コンピュータ読取可能な記憶媒体に記憶され得る。そのような理解に基づいて、本発明の技術的解決策は本質的に、または従来技術に貢献する部分、または技術的解決策の一部は、ソフトウェア製品の形態で実施され得る。ソフトウェア製品は、記憶媒体に記憶され、(パーソナルコンピュータ、サーバ、もしくはネットワークデバイスであり得る)コンピュータデバイスまたはプロセッサに、本発明の実施形態において説明される方法のステップの全部または一部を実行するように命令するためのいくつかの命令を含む。前述の記憶媒体は、USBフラッシュドライブ、リムーバブルハードディスク、読み出し専用メモリ(ROM: Read-Only Memory)、ランダムアクセスメモリ(RAM: Random Access Memory)、磁気ディスク、または光ディスクなどの、プログラムコードを記憶できる任意の媒体を含む。
【０１０６】
前述の説明は、本発明の特定の実施手法にすぎないが、本発明の保護範囲を限定することを意図されない。本発明において開示される技術的範囲内で当業者によって容易に想到される変形例または置換は、本発明の保護範囲内に含まれる。そのため、本発明の保護範囲は、特許請求の範囲の保護範囲に従う。
【符号の説明】
【０１０７】
301  領域決定ユニット
302  グラフィック処理ユニット
303  情報送信ユニット
401  要求受信ユニット
500  端末デバイス
501  プロセッサ
502  通信バス
503  ユーザインタフェース
504  ネットワークインタフェース
505  メモリ
5051  オペレーティングシステム
5052  アプリケーションモジュール
601  情報受信ユニット
602  グラフィック処理ユニット
603  グラフィック出力ユニット
604  要求送信ユニット
701  受信器
702  グラフィック処理エンジン
703  ディスプレイコントローラ
704  ディスプレイ画面コンポーネント
800  端末デバイス
801  プロセッサ
802  通信バス
803  ユーザインタフェース
804  ネットワークインタフェース
805  メモリ
8051  オペレーティングシステム
8052  アプリケーションモジュール
【図１】
2016511876.tif 000003
【図２ａ】
2016511876.tif 000004
【図２ｂ】
2016511876.tif 000005
【図２ｃ】
2016511876.tif 000006
【図３ａ】
2016511876.tif 000007
【図３ｂ】
2016511876.tif 000008
【図４ａ】
2016511876.tif 000009
【図４ｂ】
2016511876.tif 000010
【図５】
2016511876.tif 000011
【図６ａ】
2016511876.tif 000012
【図６ｂ】
2016511876.tif 000013
【図７】
2016511876.tif 000014
【図８】
2016511876.tif 000015
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
ローカルエリアネットワークを使用することによって送信端と受信端との間に接続が確立される端末間グラフィック共有方法であって、前記方法は、
前記送信端の画面に表示されるグラフィックの共有領域を前記送信端によって決定するステップと、
前記送信端の前記画面に表示される前記グラフィックの前記共有領域を除く領域である非共有領域内のグラフィックをマスクするために、前記非共有領域内の前記グラフィックを前記送信端によって処理するステップと、
前記送信端と前記受信端とが前記共有領域内のグラフィックを共有するように、前記画面に表示され、その後、処理されるグラフィックのデータを前記送信端によって前記ローカルエリアネットワークを使用することによって前記受信端へ送信するステップと、
を含むことを特徴とする端末間グラフィック共有方法。
【請求項２】
前記送信端の画面に表示されるグラフィックの共有領域を前記送信端によって決定する前記ステップの前に、前記方法は、
前記受信端によって送信される画面共有要求を前記送信端によって受信するステップ、
をさらに含み、
前記送信端の画面に表示されるグラフィックの共有領域を前記送信端によって決定する前記ステップは、前記受信端からの前記画面共有要求に応じて、前記送信端の前記画面に表示される前記グラフィックの前記共有領域を前記送信端によって決定するステップを含むことを特徴とする請求項1に記載の方法。
【請求項３】
非共有領域内のグラフィックをマスクするために、前記非共有領域内の前記グラフィックを前記送信端によって処理する前記ステップは、
前記非共有領域内の前記グラフィックをマスクするために、前記非共有領域内の前記グラフィックにモノクロカラライゼーション処理を前記送信端によって実行するステップ、
を含むことを特徴とする請求項1または2に記載の方法。
【請求項４】
ローカルエリアネットワークを使用することによって送信端と受信端との間に接続が確立される端末間グラフィック共有方法であって、前記方法は、
前記送信端によって前記ローカルエリアネットワークを使用することによって送信される、前記送信端の画面に表示されるグラフィックの共有領域を除く領域である非共有領域の位置情報およびグラフィックのデータを、前記受信端によって受信するステップと、
前記非共有領域内のグラフィックをマスクするために、前記非共有領域の前記位置情報に従って前記グラフィックの前記非共有領域内の前記グラフィックを前記受信端によって処理するステップと、
前記送信端と前記受信端とが前記共有領域内のグラフィックを共有するように、処理済みのグラフィックを前記受信端によって出力し、表示するステップと、
を含むことを特徴とする端末間グラフィック共有方法。
【請求項５】
前記送信端によって前記ローカルエリアネットワークを使用することによって送信される、非共有領域の位置情報およびグラフィックのデータを前記受信端によって受信する前記ステップの前に、前記方法は、
前記受信端によって画面共有要求を前記送信端へ送信するステップ、
をさらに含むことを特徴とする請求項4に記載の方法。
【請求項６】
前記非共有領域内のグラフィックをマスクするために、前記非共有領域の前記位置情報に従って前記グラフィックの前記非共有領域内の前記グラフィックを前記受信端によって処理する前記ステップは、
前記非共有領域内の前記グラフィックをマスクするために、前記非共有領域の前記位置情報に従って前記グラフィックの前記非共有領域内の前記グラフィックにモノクロカラライゼーション処理を前記受信端によって実行するステップ、
を含むことを特徴とする請求項4または5に記載の方法。
【請求項７】
ローカルエリアネットワークを使用することによって受信端に送信端として接続される端末デバイスであって、前記端末デバイスは、
前記端末デバイスの画面に表示されるグラフィックの共有領域を決定するように構成された領域決定ユニットと、
前記端末デバイスの前記画面に表示される前記グラフィックの前記共有領域を除く領域である非共有領域内のグラフィックをマスクするために、前記非共有領域内の前記グラフィックを処理するように構成されたグラフィック処理ユニットと、
前記端末デバイスと前記受信端とが前記共有領域内のグラフィックを共有するように、前記画面に表示され、その後、処理されるグラフィックのデータを、前記ローカルエリアネットワークを使用することによって前記受信端へ送信するように構成された情報送信ユニットと、
を備えることを特徴とする端末デバイス。
【請求項８】
前記領域決定ユニットが前記端末デバイスの前記画面に表示される前記グラフィックの前記共有領域を決定する前に、前記受信端によって送信される画面共有要求を受信するように構成された要求受信ユニット、
をさらに備え、
前記領域決定ユニットは、前記受信端からの前記画面共有要求に応じて、前記端末デバイスの前記画面に表示される前記グラフィックの前記共有領域を決定するように特に構成されることを特徴とする請求項7に記載の端末デバイス。
【請求項９】
前記グラフィック処理ユニットは、前記非共有領域内の前記グラフィックをマスクするために、前記非共有領域内の前記グラフィックにモノクロカラライゼーション処理を実行するように特に構成されることを特徴とする請求項7または8に記載の端末デバイス。
【請求項１０】
ローカルエリアネットワークを使用することによって送信端に受信端として接続される端末デバイスであって、前記端末デバイスは、
前記送信端によって前記ローカルエリアネットワークを使用することによって送信される、前記送信端の画面に表示されるグラフィックの共有領域を除く領域である非共有領域の位置情報およびグラフィックのデータを受信するように構成された情報受信ユニットと、
前記非共有領域内のグラフィックをマスクするために、前記非共有領域の前記位置情報に従って前記グラフィックの前記非共有領域内の前記グラフィックを処理するように構成されたグラフィック処理ユニットと、
前記送信端と前記端末デバイスとが前記共有領域内のグラフィックを共有するように、前記グラフィック処理ユニットによって処理されたグラフィックを出力し、表示するように構成されたグラフィック出力ユニットと、
を備えることを特徴とする端末デバイス。
【請求項１１】
画面共有要求を前記送信端へ送信するように構成された要求送信ユニット
をさらに備えることを特徴とする請求項10に記載の端末デバイス。
【請求項１２】
前記グラフィック処理ユニットは、前記非共有領域内の前記グラフィックをマスクするために、前記非共有領域の前記位置情報に従って前記グラフィックの前記非共有領域内の前記グラフィックにモノクロカラライゼーション処理を実行するように特に構成されることを特徴とする請求項10または11に記載の端末デバイス。
【請求項１３】
ローカルエリアネットワークを使用することによって送信端に受信端として接続される端末デバイスであって、前記端末デバイスは、
前記送信端によって前記ローカルエリアネットワークを使用することによって送信される、前記送信端の画面に表示されるグラフィックの共有領域を除く領域である非共有領域の位置情報およびグラフィックのデータを受信するように構成された受信器と、
前記非共有領域内のグラフィックをマスクするために、前記非共有領域の前記位置情報に従って前記グラフィックの前記非共有領域内の前記グラフィックを処理するように構成されたグラフィック処理エンジンと、
前記グラフィックの前記非共有領域内のグラフィック要素を処理することによって得られるグラフィックを出力するように構成されたディスプレイコントローラと、
前記送信端と前記端末デバイスとが前記共有領域内の前記グラフィックを共有するように、前記端末デバイスの前記画面に表示される前記グラフィックの前記共有領域内に前記ディスプレイコントローラによって出力された前記グラフィックを表示するように構成されたディスプレイ画面コンポーネントと、
を備えることを特徴とする端末デバイス。
【請求項１４】
画面共有要求を前記送信端へ送信するように構成された送信器
をさらに備えることを特徴とする請求項13に記載の端末デバイス。
【請求項１５】
前記グラフィック処理エンジンは、前記非共有領域内の前記グラフィックをマスクするために、前記非共有領域の前記位置情報に従って前記グラフィックの前記非共有領域内の前記グラフィックにモノクロカラライゼーション処理を実行するように特に構成されることを特徴とする請求項13または14に記載の端末デバイス。
【請求項１６】
少なくとも1つの送信端と少なくとも1つの受信端とを含む通信システムであって、前記送信端は、ローカルエリアネットワークを使用することによって前記受信端に接続され、
前記受信端は、画面共有要求を送信するように構成され、
前記送信端は、前記受信端からの前記画面共有要求に応じて、前記送信端の画面に表示されるグラフィックの共有領域を決定し、前記送信端の前記画面に表示される前記グラフィックの前記共有領域以外の領域である非共有領域内のグラフィック要素をマスクするために、前記非共有領域内の前記グラフィック要素を処理し、前記送信端の前記画面に表示され、その後、処理されるグラフィックのデータを前記ローカルエリアネットワークを使用することによって前記受信端へ送信するように構成され、
前記受信端は、前記送信端の前記画面に表示され、その後、処理される前記グラフィックの前記データを前記ローカルエリアネットワークを使用することによって受信し、前記送信端と前記受信端とが前記共有領域内のグラフィック要素を共有するように、前記受信端の画面に表示されるグラフィックの前記共有領域内の前記グラフィック要素を表示するようにさらに構成されることを特徴とする通信システム。
【請求項１７】
少なくとも1つの送信端と少なくとも1つの受信端とを含む通信システムであって、前記送信端は、ローカルエリアネットワークを使用することによって前記受信端に接続され、
前記送信端は、前記受信端から画面共有要求を受信し、前記送信端の画面に表示されるグラフィックのデータおよび前記送信端の前記画面に表示されるグラフィックの非共有領域の位置情報を前記ローカルエリアネットワークを使用することによって送信するように構成され、前記非共有領域は、前記送信端の前記画面に表示される前記グラフィックの共有領域を除く領域であり、
前記受信端は、前記送信端によって前記ローカルエリアネットワークを使用することによって送信される、前記送信端の前記画面に表示される前記グラフィックの共有領域以外の領域である前記非共有領域の前記位置情報および前記グラフィックの前記データを受信し、非共有領域内のグラフィック要素をマスクするために、前記非共有領域の前記位置情報に従って前記グラフィックの前記非共有領域内の前記グラフィック要素を処理し、前記送信端と前記受信端とが前記共有領域内のグラフィック要素を共有するように、前記受信端の画面に表示されるグラフィックの前記共有領域内の前記グラフィック要素を出力し、表示するように構成されることを特徴とする通信システム。
【手続補正２】
【補正対象書類名】明細書
【補正対象項目名】０００１
【補正方法】変更
【補正の内容】
【０００１】
本発明は、通信技術の分野に関し、特に、端末間グラフィック共有方法、端末デバイス、および通信システムに関する。
【手続補正３】
【補正対象書類名】明細書
【補正対象項目名】００６９
【補正方法】変更
【補正の内容】
【００６９】
図5に示されるように、本発明の実施形態は、端末デバイス500をさらに提供し、当該端末デバイス500は、中央処理装置(CPU)などの少なくとも1つのプロセッサ501と、物理ネットワークアダプタなどの少なくとも1つのネットワークインタフェース504または別のユーザインタフェース503と、メモリ505と、少なくとも1つの通信バス502とを含み得る。
【国際調査報告】
2016511876.tif 000016
2016511876.tif 000017
2016511876.tif 000018
2016511876.tif 000019